(57)【特許請求の範囲】
【請求項１】
物体が放射する熱線を検知する人感センサと、前記人感センサによる検出信号に応じて点灯制御されると共に相互に通信することができる複数の照明器具とを備えた照明システムにおいて、
所定時間内に前記人感センサから出力される検出信号の出力回数をカウントし、それに応じて前記照明器具の点灯を制御する制御部を備え、
前記制御部は、
関連付けられた前記出力回数と照明器具とを複数保持するテーブルを記憶する記憶部を備え、
前記検出信号を受信すると、前記照明器具を予め定められた時間点灯させ、前記出力回数が前記記憶部に記憶された出力回数以上のとき、該出力回数と関連付けて記憶されている照明器具に信号を送信し、照明器具を予め定められた時間点灯させ、
前記照明器具は、屋内と屋外とにそれぞれ設置され、
屋内に設置された少なくとも１つの照明器具は、前記人感センサから所定時間内に出力される検出信号が所定回数になると、屋外に設置された照明器具を点灯させる信号を送信し、
屋外に設置された少なくとも１つの照明器具は、前記人感センサから所定時間内に出力される検出信号が所定回数になると、屋内に設置された照明器具を点灯させる信号を送信することを特徴とする照明システム。
【発明の詳細な説明】
【技術分野】
【０００１】
本発明は、熱線を検知する人感センサを備えた照明システムに関する。
【背景技術】
【０００２】
従来、人は暗い屋内を移動するとき、屋内に設置されている複数の照明器具の中から、点灯させる照明器具を選択し、この選択した照明器具のスイッチを入れる必要があった。その後、人が、点灯させた照明器具の光が届かない場所まで移動すると、新たに点灯させる照明器具を選択し、この照明器具のスイッチを入れる必要があった。このとき、人は、照明器具のスイッチをすぐに見つけられないことがあった。また、人は、暗い屋内で照明器具のスイッチを探している間に転倒したり躓くことがあった。
【０００３】
そこで、例えば、照明器具と人検知手段とを備え、人検知手段が人を検知すると直ちに照明器具を点灯させる照明制御システムが知られている（例えば、特許文献１参照）。また、システム全体を制御するサーバや親機と複数の人検知センサと照明器具とを備え、特定の人センサが人を検出すると、無線信号を送信し、無線信号が送信されたことに応じて、直ちに照明器具を点灯させる照明システムが知られている（例えば、特許文献２参照）。また、照明システムが備える複数の照明器具と人感センサとが有線で接続されている構成が知られている（例えば、特許文献３参照）。さらに、照明システムは、複数のグループに分けられた照明器具と人感センサを備え、所定の人感センサが人を検出したことに応じて、特定のグループに属する照明器具を直ちに点灯させる構成が知られている（例えば、特許文献４参照）。
【０００４】
しかしながら、特許文献１乃至４に示される技術においては、人検知手段または人感システムが人を検知すると直ちに照明器具を点灯させるため、人の動作パターンによっては、点灯させる必要がない照明器具であっても点灯させるため、電気コストの増加が問題となっていた。また、人が照明器具の点灯を所望しない場合であっても、人が照明システム内を移動すると必ず照明器具が点灯するため、無用な照明器具の点灯による煩わしさが問題となっていた。また、特許文献２に示される技術においては、システム全体を制御するサーバや親機や必要であるため、システム構成が複雑になるという問題が生じていた。さらに、特許文献３に示される技術においては、複数の照明器具と人感センサとが有線で接続されているため、照明システムの設置時の配線作業に手間が掛かるという問題が生じていた。
【特許文献１】特開平８−２７３８３８号公報
【特許文献２】特開２００２−２８９３７０号公報
【特許文献３】特開平１０−１６２９６９号公報
【特許文献４】特開平１０−１６２９６３号公報
【発明の開示】
【発明が解決しようとする課題】
【０００５】
本発明は、上記の問題を解決するためになされたものであり、人感センサが人を検知した場合であっても、直ちに照明器具を点灯させず、人の動作に応じて必要な照明器具だけを点灯させることができる照明システムを提供することを目的とする。
【課題を解決するための手段】
【０００６】
上記目的を達成するために請求項１の発明は、物体が放射する熱線を検知する人感センサと、人感センサによる検出信号に応じて点灯制御されると共に相互に通信することができる複数の照明器具とを備えた照明システムにおいて、所定時間内に人感センサから出力される検出信号の出力回数をカウントし、それに応じて照明器具の点灯を制御する制御部を備え、制御部は、関連付けられた出力回数と照明器具とを複数保持するテーブルを記憶する記憶部を備え、検出信号を受信すると、照明器具を予め定められた時間点灯させ、出力回数が記憶部に記憶された出力回数以上のとき、出力回数と関連付けて記憶されている照明器具に信号を送信し、照明器具を予め定められた時間点灯させ、照明器具は、屋内と屋外とにそれぞれ設置され、屋内に設置された少なくとも１つの照明器具は、人感センサから所定時間内に出力される検出信号が所定回数になると、屋外に設置された照明器具を点灯させる信号を送信し、屋外に設置された少なくとも１つの照明器具は、人感センサから所定時間内に出力される検出信号が所定回数になると、屋内に設置された照明器具を点灯させる信号を送信するようにしたものである。
【発明の効果】
【０００８】
請求項１の発明によれば、検出信号を受信すると、照明器具を予め定められた時間点灯させ、出力回数が所定回数以上のとき、予め関連付けられた照明器具に信号を送信する。これにより、システム全体を制御するサーバや親機を備える必要がなく、照明システムを容易に構築することができるため、構築コストを低く抑えることができる。また、各照明器具は、人感センサが人を検出したことに応じて点灯する。さらに各照明器具は、検出信号が出力された出力回数に応じて、他の照明器具に信号を送信し、信号を送信した照明器具を予め定められた時間点灯させる。これにより、照明器具は、人の動作に合わせて自動的に点灯するため、人は、暗い中で照明器具のスイッチを押す必要がなくなり、転倒や躓きを回避することができる。
【０００９】
さらに、請求項１の発明によれば、屋内に設置された照明器具は、人感センサから所定時間内に出力される検出信号が所定回数になると、屋外に設置された所定の照明器具を点灯させる。同様に、屋外に設置された照明器具は、人感センサから所定時間内に出力される検出信号が所定回数になると、屋内に設置された所定の照明器具を点灯させる。これにより、屋外の照明器具は、人が屋内から屋外に出るときにのみ屋外に設置された所定の照明器具を、屋外の照明器具は、人が屋外から屋内に入るときにのみ屋内に設置された所定の照明器具を点灯させることができる。これにより、各照明器具は、人の動作に応じて点灯するため、電気代を節約することが可能となる。
【発明を実施するための最良の形態】
【００１０】
以下、本発明の実施形態に係る照明システムについて、図面を参照して説明する。図１は、本実施形態に係る照明システム１の構成を示す。照明システム１は、周囲を明るく照らすために点灯するランプ２ａ乃至ランプ２ｃが備えられた照明器具３ａ乃至照明器具３ｃを備える。照明器具３ａは、人や小動物などが放射する赤外線を受光すると検出信号４ａを出力する人感センサ５ａと、検出信号４ａを受信したことに応じてランプ２ａを予め定められた時間点灯させる制御部６ａと、検出信号４ａを無線信号７ａとして送信する無線信号送受信部８ａとを備える。制御部６ａは、人感センサ５ａによって所定時間内に検出信号４ａが出力された出力回数と大きさが比較される基準回数と、照明器具３ｂまたは照明器具３ｃとを関連付けて記憶する記憶部９ａを備える。無線信号送受信部８ａは、照明器具３ｂまたは照明器具３ｃに備えられた無線信号送受信部８ｂまたは無線信号送受信部８ｃによって送信された無線信号７ｂまたは無線信号７ｃを受信する。無線信号送受信部８ａが無線信号７ｂまたは無線信号７ｃを受信すると、制御部６ａは、ランプ２ａを予め定められた時間点灯させる。ここで、照明器具３ｂ及び照明器具３ｃは、照明器具３ａと同様の構成であり、照明器具３ａは、屋外１０であって玄関ドア１２付近に設置されており、照明器具３ｂは、住宅などの屋内１１の玄関ドア１２付近に設置され、照明器具３ｃは、屋内１１の廊下などに設置されているものとする。
【００１１】
記憶部９ａは、ユーザによって基準回数と照明器具３ｂとが関連付けられたテーブル１０ａを保持する。テーブル１０ａは、出力回数と比較される「基準回数」項目と、無線信号送受信部８ａが無線信号７ａを送信する相手先として照明器具３ｂまたは照明器具３ｃを記憶する「送信先」項目とを保持する。制御部６ａは、人感センサ５ａから検出信号４ａを受信すると、直ちにランプ２ａを予め定められた時間点灯させ、所定時間内に人感センサ５ａによって検出信号４ａが出力された出力回数をカウントする。さらに、制御部６ａは、テーブル１０ａを参照して、カウントした出力回数がテーブル１０ａの「基準回数」項目に保持されている回数より大きいか否かを判断する。制御部６ａによってカウントされた出力回数が「基準回数」項目に保持されている回数より大きいとき、制御部６ａは、無線信号送受信部８ａに無線信号７ａを「送信先」項目に保持されている照明器具３に向けて送信させる。
【００１２】
ここで、検出信号４ａが人感センサ５ａによって６回出力されたとき、制御部６ａは、テーブル１０ａを参照して、無線信号送受信部８ａに無線信号７ａを照明器具３ｂに向けて送信させることとなる。無線信号送受信部８ａは、例えば、照明器具３ｂに割り当てられた固有の数字や記号、またはＩＰアドレスなどに基づいて無線信号７ａを照明器具３ｂに送信する。照明器具３ｂは、無線信号送受信部８ｂが照明器具３ａに備えられた無線信号送受信部８ａによって送信された無線信号７ａを受信したことに応じて、ランプ２ｂを予め定められた時間点灯させる。これにより、照明システム１は、照明器具３ａに備えられた人感センサ５ａによって所定時間内に出力された検出信号４ａの出力回数に応じて、照明器具３ｂに備えられたランプ２ｂを点灯させることができる。
【００１３】
次に、照明器具３ｂの動作について説明する。図２は、本実施形態に係る照明器具３ｂの動作フローを示す。照明システム１の主電源が投入されると、照明器具３ｂに備えられた人感センサ５ｂは、人や小動物などの物体が照射する赤外線を検出すると検出信号４ｂを制御部６ｂに出力する（Ｓ１）。ステップＳ１において、人感センサ５ｂが赤外線を検出しないとき（Ｓ１でＮｏ）、照明器具３ｂはステップＳ５の処理を実行する。一方、人感センサ５ｂが赤外線を検出し、検出信号４ｂを制御部６ｂに出力すると（Ｓ１でＹｅｓ）、制御部６ｂは、ランプ２ｂを予め定められた時間点灯させる（Ｓ２）。これにより、人は、近くに存在するランプ２ｂのスイッチを入れなくても、ランプ２ｂが予め定められた時間点灯するため、暗い中で転倒することや躓くことを回避することができる。また、点灯しているランプ２ｂは、所定時間が経過すると制御部６ｂによって消灯させられるため、人がランプ２ｂを消し忘れすることが無くなるため無駄な電気代を節約することができる。
【００１４】
制御部６ｂは、ランプ２ｂを点灯させると、所定時間内に人感センサ５ｂが検出信号４ｂを出力した回数を出力回数としてカウントする（Ｓ３）。次に、制御部６ｂは、記憶部９ｂに記憶されているテーブル１０ｂの「基準回数」項目を参照し、出力回数と基準回数の大きさを比較する（Ｓ４）。ここで、出力回数が３回であるとすると、制御部６ｂは、図１に示されるテーブル１０ｂを参照し、出力回数がテーブル１０ｂの「基準回数」項目に保持されている回数以上であるか否かを判断する。ここで、テーブル１０ｂは、「基準回数」項目に基準回数として５回と１回を保持している。制御部６ｂは、出力回数が３回なので、出力回数が基準回数「１回」より大きく、基準回数「５回」より小さいと判断する。出力回数が基準回数以上であるとき（Ｓ４でＹｅｓ）、制御部６ｂは、テーブル１０ｂから出力回数より小さい基準回数と関連付けられている「送信先」項目から送信先の情報を取得する（Ｓ５）。ここで、制御部６ｂは、テーブル１０ｂから、基準回数「１」と関連付けられている「送信先」項目から３ｃを取得することとなる。次に、制御部６ｂは、無線信号送受信部８ｂに、ステップＳ５において取得した送信先である照明器具３ｃに対して無線信号７ｂを送信させる（Ｓ６）。ここで、人感センサ５ｂは、人や小動物などが照明器具３ｂの近傍を通過すると、所定時間内に１〜３回程度、検出信号４ｂを出力するものとする。また、人感センサ５ｂは、人が玄関ドア１２を開けようとするとき、人は、玄関ドア１２付近に比較的長い間留まるため、所定時間内に５回以上、検出信号４ｂを出力する。これにより、無線信号送受信部７ｂは、人の動作に応じて、無線信号７ｂを所定の照明器具３ｂまたは照明器具３ｃに送信することができる。
【００１５】
一方、ステップＳ４において、出力回数がテーブル１０ｂの「基準回数」項目に保持されている全ての回数より小さいとき（Ｓ４でＮｏ）、照明器具３ｂは、ステップＳ７の処理を実行する。ステップＳ７において、無線信号送受信部８ｂが、無線信号７ａまたは無線信号７ｃを受信すると（Ｓ７でＹｅｓ）、制御部６ｂは、ランプ２ｂを予め定められた時間点灯させる（Ｓ８）。一方、ステップＳ７において、無線信号送受信部８ｂが、無線信号７ａ及び無線信号７ｃを受信しないとき（Ｓ７でＮｏ）、照明器具３ｂは、ステップＳ９の処理へ進む。照明器具３ｂは、照明システム１の主電源が落とされるまで（Ｓ９でＮｏ）、ステップＳ１からステップＳ９の処理を繰り返す。一方、ステップＳ９において、照明システム１の主電源が落とされると（Ｓ９でＹｅｓ）、照明器具３ｂは動作を終了する。なお、照明器具３ｂは、自己が備える人感センサ５ｂが検出信号４ｂを出力したことに応じて、全ての照明器具３ａ及び照明器具３ｃに対して無線信号７ｂを送信する構成であっても構わない。このとき、無線信号７ｂを受信した照明器具３ａまたは照明器具３ｃは、例えば、記憶部９ａまたは記憶部９ｃに無線信号７ｂを受信することによって、ランプ２ａまたはランプ２ｃを点灯させる情報を記憶しているものとする。このとき、照明器具３ａまたは照明器具３ｃは、無線信号７ｂを受信すると記憶部９ａまたは記憶部９ｃを参照することによりランプ２ａまたはランプ２ｃを点灯させるか否かを判断し、この判断結果に基づいて、ランプ２ａまたはランプ２ｃを点灯させることとなる。
【００１６】
図３は、屋外１０及び屋内１１に設置された照明システム１の設置状態を示す。ここで、照明システム１は、照明器具３ａと同一構成である１１台の照明器具３ｄ乃至照明器具３ｎを備え、照明器具３ｄ乃至照明器具３ｆは屋外１０に設置され、照明器具３ｇ乃至照明器具３ｎは屋内１１に設置されている。照明器具３ｄは屋外１０の門１３に、照明器具３ｅは門１３から玄関１４にかけてのアプローチ１５に、照明器具３ｆは玄関ドア１２近傍の屋外１０側のポーチ１６に設置されている。また、照明器具３ｇは、屋内１１の玄関１４に、照明器具３ｈは、部屋Ｒの室内ドア１７近傍の廊下１８に、照明器具３ｉ乃至照明器具３ｌは、廊下１８に等間隔で設置されている。さらに、照明器具３ｍはトイレ１９に、照明器具３ｎは浴室２０に設置されている。ここで、照明器具３ｋは、浴室２０の浴室ドア２１の近傍に、照明器具３ｌは、トイレ１９のトイレドア２２の近傍に設置されている。
【００１７】
照明器具３ｄ乃至照明器具３ｎは、それぞれテーブル１０ｄ乃至テーブル１０ｎを保持している。例えば、照明器具３ｆに保持されているテーブル１０ｆは、基準回数「１回」と送信先「３ｅ」とを関連付けて保持し、基準回数「５回」と送信先「３ｇ」とを関連付けて保持している。このとき、照明器具３ｆに備えられた人感センサ５ｆが人を検出することにより、所定時間内に検出信号４ｆを例えば、３回出力すると、制御部６ｆは、ランプ２ｆを予め定められた時間点灯させる。さらに、無線信号送受信部８ｆは、無線信号７ｆを照明器具３ｅに送信する。照明器具３ｅは、無線信号送受信部８ｅが無線信号７ｆを受信したことに応じて、ランプ２ｅを予め定められた時間点灯させる。これにより、照明システム１は、照明器具３ｆに備えられた人感センサ５ｆが検出信号４ｆを出力した出力回数に応じて、ポーチ１６に存在する人が、アプローチ１５を歩いて門１３に向かうと判断して、照明器具３ｆと照明器具３ｅとに備えられたランプ２ｆ及びランプ２ｅを点灯させることができる。
【００１８】
また、人感センサ５ｆが人を検出することにより、所定時間内に検出信号４ｆを例えば、６回出力すると、制御部６ｆは、ランプ２ｆを予め定められた時間点灯させる。無線信号送受信部８ｆは、テーブル１０ｆに基づいて、人感センサ５ｆが検出信号４ｆを１回出力した時点で、無線信号７ｆを照明器具３ｅに送信する。さらに、無線信号送受信部８ｆは、人感センサ５ｆが検出信号４ｆを５回以上出力した時点で、無線信号７ｆを照明器具３ｇに送信する。照明器具３ｅと照明器具３ｇは、それぞれが備える無線信号送受信部８ｅ及び無線信号送受信部８ｇが無線信号７ｆを受信したことに応じて、ランプ２ｅ及びランプ２ｇを予め定められた時間点灯させる。これにより、照明システム１は、人感センサ５ｆが検出信号４ｆを６回出力したことに応じて、屋外１０のポーチ１６に存在する人が、玄関ドア１２の鍵を開錠して、屋内１１に入ろうとしていると判断して、人が玄関ドア１２を開けて玄関１４に到達する前にランプ２ｇを点灯させることが可能となる。
【００１９】
次に、人が部屋Ｒを出てトイレ１９に入る場合の照明システム１の動作について説明する。図４は、照明器具３ｇ乃至照明器具３ｍの動作状態を示す。図４は、各照明器具３の動作状態として、各照明器具３に備えられた人感センサ５が検出信号４を出力した回数と、各照明器具３に備えられたランプ２の点灯状態を示す。ここで、人は、図２に示される部屋Ｒの室内ドア１７を出て廊下１８をトイレ１９に向かって歩き、トイレ１９の前でトイレドア２２を開けてトイレ１９に入り、その後、トイレ１９から廊下１８に出てくる動作を行うものとする。照明器具３ｈに備えられた人感センサ５ｈが、部屋Ｒから出てきた人を検知した状態を状態１とし、人感センサ５ｉ乃至人感センサ５ｋが廊下１８を歩いている人を検知した状態を、それぞれ状態２乃至状態４とし、人感センサ５ｌがトイレドア２２に存在している人を所定時間内に５回以上検知した状態を状態５とする。また、人感センサ５ｍがトイレ１９に存在している人を検知した状態を状態６とし、人感センサ５ｍがトイレドア２２に開けようとしている人を所定時間内に５回以上検知した状態を状態７とし、人感センサ５ｌがトイレ１９から廊下１８に出てきた人を検知した状態を状態８とする。
【００２０】
人感センサ５ｈが人を検出し、検出信号４ｈを出力すると（状態１）、制御部６ｈは、ランプ２ｈを予め定められた時間点灯させ、無線信号送受信部８ｈは、図３に示されるテーブル１０ｈに基づいて無線信号７ｈを照明器具３ｇ、及び照明器具３ｉ乃至照明器具３ｌに送信する。これにより、照明器具３ｇ、及び照明器具３ｉ乃至照明器具３ｌは、それぞれが備えるランプ２ｇ、及びランプ２ｉ乃至ランプ２ｌを予め定められた時間点灯させる。次に、人が廊下１８を移動することによって、人感センサ５ｉが人を検出し、検出信号４ｈを出力すると（状態２）、制御部６ｉは、ランプ２ｉを予め定められた時間点灯させ、無線信号送受信部８ｉは、テーブル１０ｉに基づいて無線信号７ｉを照明器具３ｈ、及び照明器具３ｊ乃至照明器具３ｌに送信する。これにより、照明器具３ｈ、及び照明器具３ｊ乃至照明器具３ｌは、それぞれが備えるランプ２ｈ、及びランプ２ｊ乃至ランプ２ｌを予め定められた時間点灯させる。照明器具３ｈ乃至照明器具３ｌは、状態３及び状態４においても状態２と同様の動作を行うことにより、ランプ２ｈ乃至ランプ２ｌを予め定められた時間点灯させる。
【００２１】
次に、人がトイレドア２２前に到達し、トイレドア２２を開けてトイレ１９に入るためにトイレドア２２前に一定時間留まると、照明器具３ｌに備えられた人感センサ５ｌは、所定時間内に検出信号４ｌを５回以上出力する（状態５）。人感センサ５ｌによって検出信号４ｌが出力されると、制御部６ｌは、ランプ２ｌを予め定められた時間点灯させ、無線信号送受信部８ｌは、テーブル１０ｌに基づいて無線信号７ｌを照明器具３ｈ乃至照明器具３ｋに送信する。これにより、照明器具３ｈ乃至照明器具３ｋは、それぞれが備えるランプ２ｈ乃至ランプ２ｋを予め定められた時間点灯させる。その後、人感センサ５ｌによって検出信号４ｌが５回以上出力されると、無線信号送受信部８ｌは、テーブル１０ｌに基づいて無線信号７ｌを照明器具３ｍに送信する。照明器具３ｍは、無線信号送受信部８ｍが無線信号７ｌを受信したことに応じて、ランプ２ｍを予め定められた時間点灯させる。このように、照明器具３ｌは、人がトイレドア２２を開けるために一定時間トイレドア２２前に留まることにより、人がトイレ１９に入ろうとしていると判断して、トイレ１９に設置された照明器具３ｍに無線信号７ｌを送信する。これにより、照明器具３ｍは、人がトイレ１９に入る前に、ランプ２ｍを点灯させることができる。
【００２２】
人がトイレ１９に入ると、照明器具３ｍ備えられた人感センサ５ｍは、人を検知して検出信号４ｍを出力する（状態６）。制御部６ｍは、ランプ２ｍを予め定められた時間点灯させる。このとき、ランプ２ｍが点灯する時間は、人がトイレ１９に入っている平均的な時間に基づいて、例えば、廊下１８に設置されている照明器具３ｈ乃至照明器具３ｌが備えるランプ２ｈ乃至ランプ２ｌより長い時間点灯するように設定されもよい。次に、人がトイレ１９から廊下１８に出ようとして、トイレドア２２を開けるためにトイレドア２２前に一定時間留まると、照明器具３ｍに備えられた人感センサ５ｍは、所定時間内に検出信号４ｍを５回以上出力する（状態７）。
【００２３】
人感センサ５ｍによって検出信号４ｍが５回以上出力されると、無線信号送受信部８ｍは、テーブル１０ｍに基づいて無線信号７ｍを照明器具３ｌに送信する。照明器具３ｌは、無線信号送受信部８ｌが無線信号７ｍを受信したことに応じて、ランプ２ｌを予め定められた時間点灯させる。これにより、照明器具３ｌは、人がトイレ１９から廊下１８へ出る前に、ランプ２ｌを点灯させることができる。人感センサ５ｌが廊下１８に出た人を検出し、検出信号４ｌを出力すると（状態８）、制御部６ｌは、ランプ２ｌを予め定められた時間点灯させ、無線信号送受信部８ｌは、テーブル１０ｌに基づいて無線信号７ｌを照明器具３ｈ乃至照明器具３ｋに送信する。これにより、照明器具３ｈ乃至照明器具３ｋは、それぞれが備えるランプ２ｈ乃至ランプ２ｋを予め定められた時間点灯させることができる。
【００２４】
次に、人が玄関１４を出て門１３に至る場合の照明システム１の動作について説明する。図５は、照明器具３ｄ乃至照明器具３ｌの動作状態を示す。図５は、図４と同様に、各照明器具３に備えられた人感センサ５が検出信号４を出力した回数と、各照明器具３に備えられたランプ２の点灯状態を示す。ここで、人は、廊下１８に設置された照明器具３ｈ近傍から玄関１４に向かい、玄関ドア１２を開けて屋外１０へ出て、アプローチ１５を経由して門１３に到達するものとする。照明器具３ｈに備えられた人感センサ５ｈが、人を検知した状態を状態１とし、人感センサ５ｇが人を１回検知した状態を状態２、人感センサ５ｇが人を５回以上検知した状態を状態３、人感センサ５ｆが人を検知した状態を状態４、人感センサ５ｅが人を検知した状態を状態５、人感センサ５ｄが人を検知した状態を状態６とする。
【００２５】
人感センサ５ｈが人を検出し、検出信号４ｈを出力すると（状態１）、制御部６ｈは、ランプ２ｈを予め定められた時間点灯させ、無線信号送受信部８ｈは、図３に示されるテーブル１０ｈに基づいて無線信号７ｈを照明器具３ｇ、及び照明器具３ｉ乃至照明器具３ｌに送信する。これにより、照明器具３ｇ、及び照明器具３ｉ乃至照明器具３ｌは、それぞれが備えるランプ２ｇ、及びランプ２ｉ乃至ランプ２ｌを予め定められた時間点灯させる。次に、人が玄関１４に移動し、人感センサ５ｇが人を検出し、検出信号４ｇを出力すると（状態２）、制御部６ｇは、ランプ２ｇを予め定められた時間点灯させ、無線信号送受信部８ｇは、テーブル１０ｇに基づいて無線信号７ｇを照明器具３ｈに送信する。これにより、照明器具３ｈは、ランプ２ｈを予め定められた時間点灯させる。
【００２６】
次に、人が玄関ドア１２を開けるために玄関ドア１２前に一定時間留まると、照明器具３ｇに備えられた人感センサ５ｇは、所定時間内に検出信号４ｇを５回以上出力する（状態３）。人感センサ５ｇによって検出信号４ｇが５回以上出力されると、無線信号送受信部８ｇは、テーブル１０ｇに基づいて無線信号７ｇを屋外１０に設置された照明器具３ｆに送信する。照明器具３ｆは、無線信号送受信部８ｆが無線信号７ｇを受信したことに応じて、ランプ２ｆを予め定められた時間点灯させる。これにより、照明器具３ｆは、人が玄関１４から屋外１０に出る前に、ポーチ１６に設置された照明器具３ｆのランプ２ｆを点灯させることができる。
【００２７】
人感センサ５ｆが屋外１０に出た人を検出し、検出信号４ｆを出力すると（状態４）、制御部６ｆは、ランプ２ｆを予め定められた時間点灯させ、無線信号送受信部８ｆは、テーブル１０ｆに基づいて無線信号７ｆを照明器具３ｅに送信する。これにより、照明器具３ｅは、ランプ２ｅを予め定められた時間点灯させる。続いて、人感センサ５ｅが、アプローチ１５上を門１３に向かって歩く人を検出し、検出信号４ｅを出力すると（状態５）、制御部６ｅは、ランプ２ｅを予め定められた時間点灯させ、無線信号送受信部８ｅは、テーブル１０ｅに基づいて無線信号７ｅを照明器具３ｄと照明器具３ｆに送信する。これにより、照明器具３ｄ及び照明器具３ｆは、それぞれが備えるランプ２ｄ及びランプ２ｆを予め定められた時間点灯させる。次に、人感センサ５ｄが、門１３に到達した人を検出し、検出信号４ｄを出力すると（状態６）、制御部６ｄは、ランプ２ｄを予め定められた時間点灯させ、無線信号送受信部８ｄは、テーブル１０ｄに基づいて無線信号７ｄを照明器具３ｅに送信する。これにより、照明器具３ｅは、ランプ２ｅを予め定められた時間点灯させることとなる。
【００２８】
次に、人が門１３からアプローチ１５を経由して、屋内１１の玄関１４に到達する場合の照明システム１の動作について説明する。図６は、照明器具３ｄ乃至照明器具３ｇの動作状態を示す。図６は、図４及び図５と同様に、各照明器具３に備えられた人感センサ５が検出信号４を出力した回数と、各照明器具３に備えられたランプ２の点灯状態を示す。ここで、人は、門１３からアプローチ１５を経由して玄関ドア１２前まで歩き、玄関ドア１２を開けて屋内１１の玄関１４に到達するものとする。照明器具３ｄに備えられた人感センサ５ｄが、人を検知した状態を状態１とし、人感センサ５ｅが人を検知した状態を状態２、人感センサ５ｆが人を検知した状態を状態３、人感センサ５ｆが人を５回以上検知した状態を状態４とする。
【００２９】
人感センサ５ｄが人を検出し、検出信号４ｄを出力すると（状態１）、制御部６ｄは、ランプ２ｄを予め定められた時間点灯させ、無線信号送受信部８ｄは、図３に示されるテーブル１０ｄに基づいて無線信号７ｄを照明器具３ｅに送信する。これにより、照明器具３ｇは、ランプ２ｅを予め定められた時間点灯させる。次に、人がアプローチ１５上に移動し、人感センサ５ｅが人を検出し、検出信号４ｅを出力すると（状態２）、制御部６ｅは、ランプ２ｅを予め定められた時間点灯させ、無線信号送受信部８ｅは、テーブル１０ｅに基づいて無線信号７ｅを照明器具３ｄ及び照明器具３ｆに送信する。これにより、照明器具３ｄ及び照明器具３ｆは、ランプ２ｄ及びランプ２ｆを予め定められた時間点灯させる。
【００３０】
人感センサ５ｆがポーチ１６近傍に存在する人を検出し、検出信号４ｆを出力すると（状態３）、制御部６ｆは、ランプ２ｆを予め定められた時間点灯させ、無線信号送受信部８ｆは、テーブル１０ｆに基づいて無線信号７ｆを照明器具３ｅに送信する。これにより、照明器具３ｅは、ランプ２ｅを予め定められた時間点灯させる。次に、人が施錠された玄関ドア１２を開錠し、玄関ドア１２を開けるために玄関ドア１２前に一定時間留まると、照明器具３ｆに備えられた人感センサ５ｆは、所定時間内に検出信号４ｆを５回以上出力する（状態４）。人感センサ５ｆによって検出信号４ｇが５回以上出力されると、無線信号送受信部８ｆは、テーブル１０ｆに基づいて無線信号７ｆを屋内１１の玄関１４に設置された照明器具３ｇに送信する。照明器具３ｇは、無線信号送受信部８ｇが無線信号７ｆを受信したことに応じて、ランプ２ｇを予め定められた時間点灯させる。これにより、照明器具３ｇは、人が屋外１０から屋内１１の玄関１４に入る前に、玄関１４に設置された照明器具３ｇのランプ２ｇを点灯させることができる。
【００３１】
このように、本実施形態に係る照明システム１は、人感センサ５が検出信号４を出力したことに応じて、または人感センサ５によって検出信号４が出力された出力回数に応じて、所定のランプ２を予め定められた時間点灯させる。これにより、照明システム１は、人の動作に応じて必要なランプ２だけを点灯させるため、電気代を節約することができる。また、人は、点灯を所望するランプ２が自動的に点灯するため、暗い中で照明器具３のスイッチを探す必要がなくなる。また、各照明器具３は、無線信号送受信部８に無線信号７を送受信させるため、ユーザは、配線作業を行うことなく照明器具３を設置することが可能となる。さらに、ユーザは、配線作業が不要であるため、容易に照明器具３の配置を変更することができる。
【００３２】
なお、本発明は、上記実施形態の構成に限られず、種々の変形が可能であり、本実施形態において、例えば、テーブル１０は、「基本回数」項目として、１回または５回を保持する構成ではなく、「基本回数」項目として、３回、１０回、１５回など様々な回数を保持する構成であっても構わない。また、例えば、照明器具３は、ランプ２を１つだけ備える構成ではなく、ランプ２を複数備える構成であっても構わない。
【図面の簡単な説明】
【００３３】
【図１】本発明の実施形態に係る照明システムの構成図。
【図２】本実施形態に係る照明器具の動作を示すフローチャート。
【図３】本実施形態に係る照明システムの設置状態を示す図。
【図４】本実施形態に係る照明器具の動作状態を示す図。
【図５】本実施形態に係る照明器具の動作状態を示す図。
【図６】本実施形態に係る照明器具の動作状態を示す図。
【符号の説明】
【００３４】
１  照明システム
２  ランプ
３  照明器具
４  検出信号
５  人感センサ
６  制御部
７  無線信号
８  無線信号送受信部
９  記憶部
【図１】
0004960157.tif 000002
【図２】
0004960157.tif 000003
【図３】
0004960157.tif 000004
【図４】
0004960157.tif 000005
【図５】
0004960157.tif 000006
【図６】
0004960157.tif 000007